(57)【要約】【課題】  選別部の選別性能を常時良好に確保すること。【解決手段】  本機を走行させる走行部と、同走行部により走行しながら穀稈を刈り取る刈取部と、同刈取部により刈り取った穀稈を脱穀する脱穀部と、同脱穀部により脱穀した穀粒を選別する選別部と、これらの各駆動部を駆動させる原動機部とを具備するコンバインにおいて、原動機部を補助する補助原動機部を設けて、同補助原動機部により選別部に常時所定の駆動力を供給可能とした。このようにして、選別部の選別性能を常時良好に確保することができ、選別不良の発生を防止して、収穫作業能率を良好に確保することができる。【選択図】    図３
2005245260.tif 000002
【特許請求の範囲】
【請求項１】
本機を走行させる走行部と、同走行部により走行しながら穀稈を刈り取る刈取部と、同刈取部により刈り取った穀稈を脱穀する脱穀部と、同脱穀部により脱穀した穀粒を選別する選別部と、これらの各駆動部を駆動させる原動機部とを具備するコンバインにおいて、
原動機部を補助する補助原動機部を設けて、同補助原動機部により選別部に常時所定の駆動力を供給可能としたことを特徴とするコンバイン。
【請求項２】
原動機部から選別部へ駆動力を伝達する動力伝達経路の中途部に補助原動機部を設けて、上記原動機部から動力伝達経路を通して選別部に供給される駆動力が低減した場合には、補助原動機部から駆動力が動力伝達経路を通して選別部に補充されるようにしたことを特徴とする請求項１記載のコンバイン。
【請求項３】
補助原動機部は、原動機部から選別部へ駆動力を伝達する動力伝達経路の中途部にワンウェイクラッチを設けると共に、同ワンウェイクラッチの下流側に補助動力伝達経路を介して補助駆動手段を接続する一方、上記ワンウェイクラッチの上流側に位置する動力伝達経路の動力を動力検出手段により検出して、同動力検出手段による検出結果に基づいて上記補助駆動手段を駆動させるようにしたことを特徴とする請求項１又は２記載のコンバイン。
【請求項４】
原動機部から選別部へ駆動力を伝達する動力伝達経路の中途部に遊星歯車機構を設けると共に、同遊星歯車機構に補助駆動手段を連動連結して、同遊星歯車機構により原動機部から供給される駆動力と補助駆動手段から供給される駆動力とを合成して、常時所定の駆動力を選別部に供給するようにしたことを特徴とする請求項１記載のコンバイン。
【発明の詳細な説明】
【技術分野】
【０００１】
本発明は、コンバインに関する。
【背景技術】
【０００２】
従来、コンバインの一形態として、本機を走行させる走行部と、同走行部により走行しながら穀稈を刈り取る刈取部と、同刈取部により刈り取った穀稈を脱穀する脱穀部と、同脱穀部により脱穀した穀粒を選別する選別部と、これらの各駆動部を駆動させる原動機部とを具備するものがある（例えば、特許文献１参照）。
【特許文献１】特開平７−５０９１８号公報
【発明の開示】
【発明が解決しようとする課題】
【０００３】
ところが、上気したコンバインでは、一つの原動機部から走行部と刈取部と脱穀部と選別部とに駆動力を供給するようにしているために、上記原動機部からの生起される駆動力の変動により各駆動部に供給される駆動力が変動することになるが、特に、選別部では、常時所定の駆動力が供給されないと、選別不良を生じるという不具合がある。
【課題を解決するための手段】
【０００４】
そこで、本発明では、本機を走行させる走行部と、同走行部により走行しながら穀稈を刈り取る刈取部と、同刈取部により刈り取った穀稈を脱穀する脱穀部と、同脱穀部により脱穀した穀粒を選別する選別部と、これらの各駆動部を駆動させる原動機部とを具備するコンバインにおいて、原動機部を補助する補助原動機部を設けて、同補助原動機部により選別部に常時所定の駆動力を供給可能としたことを特徴とするコンバインを提供するものである。
【０００５】
また、本発明は、以下の構成にも特徴を有する。
【０００６】
（１）原動機部から選別部へ駆動力を伝達する動力伝達経路の中途部に補助原動機部を設けて、上記原動機部から動力伝達経路を通して選別部に供給される駆動力が低減した場合には、補助原動機部から駆動力が動力伝達経路を通して選別部に補充されるようにしたこと。
【０００７】
（２）補助原動機部は、原動機部から選別部へ駆動力を伝達する動力伝達経路の中途部にワンウェイクラッチを設けると共に、同ワンウェイクラッチの下流側に補助動力伝達経路を介して補助駆動手段を接続する一方、上記ワンウェイクラッチの上流側に位置する動力伝達経路の動力を動力検出手段により検出して、同動力検出手段による検出結果に基づいて上記補助駆動手段を駆動させるようにしたこと。
【０００８】
（３）原動機部から選別部へ駆動力を伝達する動力伝達経路の中途部に遊星歯車機構を設けると共に、同遊星歯車機構に補助駆動手段を連動連結して、同遊星歯車機構により原動機部から供給される駆動力と補助駆動手段から供給される駆動力とを合成して、常時所定の駆動力を選別部に供給するようにしたこと。
【発明の効果】
【０００９】
(１)請求項１記載の本発明では、本機を走行させる走行部と、同走行部により走行しながら穀稈を刈り取る刈取部と、同刈取部により刈り取った穀稈を脱穀する脱穀部と、同脱穀部により脱穀した穀粒を選別する選別部と、これらの各駆動部を駆動させる原動機部とを具備するコンバインにおいて、原動機部を補助する補助原動機部を設けて、同補助原動機部により選別部に常時所定の駆動力を供給可能としている。
【００１０】
このようにして、補助原動機部により選別部に常時所定の駆動力を供給可能としているため、同選別部の選別性能を常時良好に確保することができ、選別不良の発生を防止して、収穫作業能率を良好に確保することができる。
【００１１】
（２）請求項２記載の本発明では、原動機部から選別部へ駆動力を伝達する動力伝達経路の中途部に補助原動機部を設けて、上記原動機部から動力伝達経路を通して選別部に供給される駆動力が低減した場合には、補助原動機部から駆動力が動力伝達経路を通して選別部に補充されるようにしている。
【００１２】
このようにして、原動機部から動力伝達経路を通して選別部に供給される駆動力が低減した場合には、補助原動機部から駆動力が動力伝達経路を通して選別部に補充されるようにしているため、同選別部の選別性能を常時良好に確保することができ、選別不良の発生を防止して、収穫作業能率を良好に確保することができる。
【００１３】
（３）請求項３記載の本発明では、補助原動機部は、原動機部から選別部へ駆動力を伝達する動力伝達経路の中途部にワンウェイクラッチを設けると共に、同ワンウェイクラッチの下流側に補助動力伝達経路を介して補助駆動手段を接続する一方、上記ワンウェイクラッチの上流側に位置する動力伝達経路の動力を動力検出手段により検出して、同動力検出手段による検出結果に基づいて上記補助駆動手段を駆動させるようようにしている。
【００１４】
このようにして、動力検出手段による検出結果に基づいて補助駆動手段を駆動させるようにしているため、効率良く補助駆動手段を駆動させることができて、同補助駆動手段を駆動させるエネルギーの無駄を省くことができると共に、選別部の選別性能を常時良好に確保することができ、選別不良の発生を防止して、収穫作業能率を良好に確保することができる。
【００１５】
（４）請求項４記載の本発明では、原動機部から選別部へ駆動力を伝達する動力伝達経路の中途部に遊星歯車機構を設けると共に、同遊星歯車機構に補助駆動手段を連動連結して、同遊星歯車機構により原動機部から供給される駆動力と補助駆動手段から供給される駆動力とを合成して、常時所定の駆動力を選別部に供給するようにしている。
【００１６】
このようにして、遊星歯車機構により原動機部から供給される駆動力と補助駆動手段から供給される駆動力とを合成して、常時所定の駆動力を選別部に供給するようにしているため、効率良く補助駆動手段を駆動させることができて、同補助駆動手段を駆動させるエネルギーの無駄を省くことができると共に、選別部の選別性能を常時良好に確保することができ、選別不良の発生を防止して、収穫作業能率を良好に確保することができる。
【発明を実施するための最良の形態】
【００１７】
図1に示すＡは、本発明に係るコンバインであり、同コンバインＡは、左右一対のクローラ式の走行部1,1上に車体フレーム２を載設し、同車体フレーム２の前端部に刈取部４を取り付け、車体フレーム２上の左側前部に脱穀部６を配設し、同脱穀部６の直下方位置に選別部７を配設する一方、同選別部７の後方上部であって、脱穀部６の直後方位置に排藁処理部８を配設している。11は、刈取部４に設けた穀稈搬送機構、12は刈刃、13は、脱穀部６に設けた扱胴である。
【００１８】
そして、コンバインＡは、車体フレーム２上の右側前部に運転部９を配設し、同運転部９の直後方位置であって、脱穀部６の直上方位置に穀粒貯留部10を配設している。
【００１９】
また、脱穀部６に設けた扱胴13の左側方位置には、前後方向に伸延するフィードチェン14を配設し、同フィードチェン14の上方位置に挟扼稈15を対向させて配置して、同挟扼稈15とフィードチェン14とが協働して穀桿の株元部を挟持すると共に、同穀桿の穂先部を扱胴13の下側周面に沿わせて前方から後方へ向けて搬送するようにしている。
【００２０】
このようにして、刈取部４に設けた刈刃12により圃場に植生している穀稈を刈り取り、この刈り取った穀稈を刈取部４に設けた穀稈搬送機構11により後上方へ搬送してフィードチェン14に受け渡し、同フィードチェン14と挟扼稈15とにより穀桿の株元部を挟持すると共に、穀桿の穂先部を扱胴13の下側周面に沿わせて前方から後方へ向けて搬送して、同扱胴13により脱穀し、この脱穀した穀粒を選別部７により選別して、選別した清粒を穀粒貯留部10に搬送して貯留する一方、排藁を排藁処理するようにしている。
【００２１】
また、図１に示すように、車体フレーム２上の前部には、原動機部20とミッション部21とを配設しており、同原動機部20には、主としてエンジンＥを設けて、同エンジンＥからミッション部21を介して上記した各駆動部に動力を伝達するようにしている。
【００２２】
すなわち、図２に示すように、エンジンＥより突出させた駆動軸22にミッション部21を連動連結しており、同ミッション部21には、走行動力伝達経路23を介して走行部1,1の駆動輪1a,1aを連動連結すると共に、各種動力伝達部24を介して刈取部４と脱穀部６とフィードチェン14を連動連結している。
【００２３】
そして、各種動力伝達部24は、刈取動力伝達経路25と脱穀動力伝達経路26とＦＣ動力伝達経路27とから形成している。
【００２４】
刈取動力伝達経路25は、図２に示すように、ミッション部21に突設した出力軸30と各種駆動軸31の右側端部との間に伝動ベルト32をプーリ33,34を介して巻回し、同伝動ベルト32をクラッチ35により緊張・弛緩自在となして、動力の伝達を接続・切断可能となし、各種駆動軸31の中途部に出力用ベベルギヤ36を取り付け、同出力用ベベルギヤ36に刈取部４の入力軸37に取り付けた入力用ベベルギヤ38を噛合させて、各種駆動軸31より刈取部４に動力を伝達可能としている。
【００２５】
脱穀動力伝達経路26は、図２に示すように、刈取動力伝達経路25の一部を形成する各種駆動軸31の左側端部と中間軸51との間に、第１脱穀部伝動ベルト40を第１・第２脱穀部伝動プーリ41,42を介して巻回し、同第１脱穀部伝動ベルト40を脱穀部用クラッチ43により緊張・弛緩自在となして、動力の伝達を接続・切断可能となし、中間軸51と脱穀部６との間に、第２脱穀部伝動ベルト52を第３脱穀部伝動プーリ53と第４脱穀部伝動プーリ（図示せず）とを介して巻回して、各種駆動軸31より脱穀部６に動力を伝達可能としている。
【００２６】
ＦＣ動力伝達経路27は、図２に示すように、刈取動力伝達経路25の一部を形成する各種駆動軸31の左側端部に減速ケース45を設け、同減速ケース45より出力軸46を突設し、同出力軸46とフィードチェン14に設けた入力軸47との間に伝動チェン48をスプロケット49,50を介して巻回して、各種駆動軸31より減速ケース45を介してフィードチェン14に減速した動力を伝達可能としている。44はＦＣ駆動用スプロケットである。
【００２７】
また、本実施の形態では、図２に示すように、エンジンＥより突出させた駆動軸22に、選別部動力伝達経路55を介して選別部７を連動連結した選別部駆動機構54を構成している。
【００２８】
そして、選別部動力伝達経路55は、駆動軸22に平行させて選別駆動軸56を配置し、同選別駆動軸56の右側部に取り付けた選別入力プーリ57と、上記駆動軸22の中途部に取り付けた出力プーリ58との間に選別伝動ベルト59を巻回し、同選別伝動ベルト59を選別クラッチ60により緊張・弛緩自在となして、動力の伝達を接続・切断可能となし、選別駆動軸56の左側端部に選別部７を連動連結して、同選別部７に動力を伝達可能となしている。
【００２９】
ここで、選別部７は、図１及び図３に示すように、風選を行うための唐箕61と、揺動選別を行うための揺動選別体62とを具備しており、唐箕61に設けた唐箕駆動軸63と、揺動選別体62に設けた揺動選別軸64とを左右方向に軸線を向けて配置すると共に、前記選別駆動軸56と平行させて配置し、同選別駆動軸56の左側端部に設けた選別駆動プーリ65と、唐箕駆動軸63の左側端部に設けた唐箕入力プーリ66との間に唐箕伝動ベルト67を巻回し、同唐箕入力プーリ66と、揺動選別軸64の左側端部に設けた揺動選別入力プーリ68との間に連動ベルト69を巻回している。
【００３０】
上記のような構成において、本発明の要旨は、図２及び図３に示すように、原動機部20を補助する補助原動機部70を設けて、同補助原動機部70により選別部７に常時所定の駆動力を供給可能としたことにある。
【００３１】
以下に、補助原動機部70について、第１実施形態、第２実施形態、及び、同第２実施形態の変容例を図面を参照しながら説明する。
【００３２】
〔第１実施形態としての補助原動機部70〕
すなわち、第１実施形態としての補助原動機部70は、図３及び図４に示すように、原動機部20に設けたエンジンＥから選別部７へ駆動力を伝達する選別動力伝達経路55において、選別駆動軸56の中途部に補助原動機部70を設けており、同補助原動機部70は、上記選別駆動軸56の中途部にワンウェイクラッチ71を設けると共に、同ワンウェイクラッチ71の下流側に位置する下流側選別駆動軸56bの部分に補助動力伝達経路72を介して補助駆動手段としての電動モータ73を連動連結している。
【００３３】
そして、上記ワンウェイクラッチ71の上流側に位置する上流側選別駆動軸56aの部分の近傍に、同上流側選別駆動軸56aの動力、すなわち、回転数を検出する動力検出手段としての回転数検出センサ74を配設し、同回転数検出センサ74を制御手段75の入力側に接続する一方、同制御手段75の出力側に前記電動モータ73を接続している。
【００３４】
また、補助動力伝達経路72は、電動モータ73の駆動軸76に設けた補助出力プーリ77と、下流側選別駆動軸56bの部分に設けた補助入力プーリ78との間に補助伝動ベルト79を巻回している。80はテンションローラである。
【００３５】
このようにして、選別駆動軸56の回転数を回転数検出センサ74により検出し、同回転数検出センサ74による回転数検出結果が、所定の数値より小さい場合には、制御手段75が電動モータ73に出力して、同電動モータ73を駆動させ、同電動モータ73の駆動軸76から駆動力が、補助出力プーリ77→補助伝動ベルト79→補助入力プーリ78→選別駆動軸56→選別駆動プーリ65→唐箕伝動ベルト67→唐箕入力プーリ66→唐箕駆動軸63及び連動ベルト69→揺動選別入力プーリ68→揺動選別軸64に伝達されるようにしている。
【００３６】
従って、効率良く電動モータ73を駆動させることができて、同電動モータ73を駆動させるエネルギーの無駄を省くことができると共に、選別部７の唐箕61と揺動選別体62の選別性能を常時良好に確保することができ、選別不良の発生を防止して、収穫作業能率を良好に確保することができる。
【００３７】
〔第２実施形態としての補助原動機部70〕
すなわち、第２実施形態としての補助原動機部70は、図５及び図６に示すように、補助原動機部ケース85内に遊星歯車機構86を配設しており、同遊星歯車機構86に補助駆動手段としての電動モータ73を連動連結して、同遊星歯車機構86によりエンジンＥから供給される駆動力と電動モータ73から供給される駆動力とを合成して、常時所定の駆動力を選別部７に供給可能としている。
【００３８】
そして、遊星歯車機構86は、図６に示すように、補助原動機部ケース85の左側壁85aに、左右方向に軸線を向けたリング状歯車支軸87を回動自在に支持させ、同リング状歯車支軸87にリング状歯車支持体88を介してリング状歯車89を取り付けている。
【００３９】
一方、補助原動機部ケース85の右側壁85bに上流側選別駆動軸56aの先端部を貫通させると共に、同上流側選別駆動軸56aをリング状歯車支軸87と同一軸線上にて突き合わせ状態に配置し、同上流側選別駆動軸56aの先端部に太陽歯車90を取り付けている。
【００４０】
しかも、太陽歯車90と上記リング状歯車89の内歯89aとの間に複数の遊星歯車91,91を噛合状態にて介在させ、これらの遊星歯車91,91を遊星歯車支軸92,92を介して支持する遊星歯車支持体93の中心部を、ボス部94を介して上流側選別駆動軸56aの外周面に回動自在に嵌合させている。
【００４１】
さらには、補助原動機部ケース85には、下流側選別駆動軸56bを上流側選別駆動軸56aと平行させて回動自在に支持させると共に、左側壁85aより外側方へ突出させ、同下流側選別駆動軸56bの先端部に選別駆動プーリ65（図５参照）を取り付けており、同下流側選別駆動軸56bの中途部には伝動歯車95を取り付け、同伝動歯車95を前記リング状歯車89の外歯89bに噛合させている。
【００４２】
また、電動モータ73は、補助原動機部ケース85の右側壁85bに取り付けると共に、同電動モータ73の駆動軸76を補助原動機部ケース85内に突出させ、同駆動軸76に設けた補助出力プーリ77を、前記遊星歯車支持体93の外周縁部に形成した大径ギヤ96に噛合させている。
【００４３】
このようにして、エンジンＥから上流側選別駆動軸56aを介して太陽歯車90に供給された駆動力と、電動モータ73から遊星歯車支持体93を介して遊星歯車91,91に供給された駆動力とをリング状歯車89にて合成し、その合成力をリング状歯車89から伝動歯車95を介して下流側選別駆動軸56bに増速させて伝達するようにしている。
【００４４】
〔第２実施形態の第１変容例としての補助原動機部70〕
すなわち、第２実施形態の第１変容例としての補助原動機部70は、図７に示すように、前記した第２実施形態の補助原動機部70と基本的構造を同じくしているが、下流側選別駆動軸56bの中途部に取り付けた伝動歯車95を、前記遊星歯車支持体93の外周縁部に形成した大径ギヤ96に噛合させると共に、電動モータ73の駆動軸76設けた補助出力プーリ77を、リング状歯車89の外歯89bに噛合させている点で異なる。
【００４５】
このようにして、エンジンＥから上流側選別駆動軸56aを介して太陽歯車90に供給された駆動力と、電動モータ73からリング状歯車支持体88を介してリング状歯車89に供給された駆動力とを遊星歯車91,91にて合成し、その合成力を遊星歯車支持体93の外周縁部に形成した大径ギヤ96から伝動歯車95を介して下流側選別駆動軸56bに増速させて伝達するようにしている。
【００４６】
〔第２実施形態の第２変容例としての補助原動機部70〕
すなわち、第２実施形態の第２変容例としての補助原動機部70は、図８に示すように、前記した第２実施形態の補助原動機部70と基本的構造を同じくしているが、上流側選別駆動軸56aの先端部を遊星歯車支持体93の中央部に連動連結すると共に、上記上流側選別駆動軸56aと電動モータ73の駆動軸76を同一軸線上に突き合わせ状態にて配置して、同駆動軸76に太陽歯車90を取り付けている点で異なる。
【００４７】
そして、リング状歯車支持体88の中央部は、ボス部97を介して電動モータ73の駆動軸76の外周面に回動自在に支持させている。
【００４８】
このようにして、エンジンＥから上流側選別駆動軸56aと遊星歯車支持体93とを介して遊星歯車91,91に供給された駆動力と、電動モータ73から太陽歯車90に供給された駆動力とをリング状歯車89にて合成し、その合成力をリング状歯車89の外歯89bから伝動歯車95を介して下流側選別駆動軸56bに増速させて伝達するようにしている。
【００４９】
〔第２実施形態としての汎用コンバインＢ〕
図９は、他の実施形態としての汎用コンバインＢを示しており、同汎用コンバインＢでは、選別部７に設けた唐箕61だけは、唐箕駆動モータ100により駆動するようにしている。
【００５０】
そして、唐箕61に連動連結した唐箕駆動モータ100は、制御手段101の出力側に接続する一方、同制御手段101の入力側に、刈取部４のプラットホーム102内に配置して、収穫した籾量を検出する籾量検出センサ103と、運転部９の天井部外表面及び穀粒貯留部10の天井部外表面にそれぞれ張設したソーラーパネル104,105と、車体フレーム２上に配置したバッテリー106とを接続している。
【００５１】
このようにして、ソーラーパネル104,105により発電した電力を唐箕駆動モータ100の主電源とし、同ソーラーパネル104,105から供給される電力が不足する場合には、制御手段101にてバッテリー106から電力を補充するべく調整して、同制御手段101から所要の電力が唐箕駆動モータ100に供給されるようにしている。
【００５２】
しかも、唐箕駆動モータ100は、籾量検出センサ103による籾量検出結果に基づいて制御手段101により制御されて、同唐箕駆動モータ100により唐箕61が最適な回転数で回転するようにしている。
【００５３】
上記のように構成した汎用コンバインＢでは、唐箕61を唐箕駆動モータ100により駆動するようにして、唐箕61の駆動手段として伝動ベルトを使用していないため、同伝動ベルトの切損、伝動ベルトのスリップといった不具合を解消することができる。
【００５４】
しかも、ソーラーパネル104,105と併用することで、唐箕駆動モータ100を使用する際の消費電力の問題を解消することができる。
【００５５】
さらには、曇天時等の日光照射不足時においても、バッテリー106から電力を適宜補充するようにしているため、唐箕駆動モータ100の適正な出力を確保することができる。
【００５６】
また、籾量に応じて唐箕61の回転数を制御するようにしているため、常に最適な風量を確保することができて、脱穀ロスを削減して、選別性能を向上させることができる。
【図面の簡単な説明】
【００５７】
【図１】本発明に係るコンバインの側面図。
【図２】同コンバインの動力伝達説明図。
【図３】選別部駆動機構の説明図。
【図４】補助原動機部の説明図。
【図５】第２実施形態としての選別部駆動機構の説明図。
【図６】同選別駆動機構の補助原動機部の概念説明図。
【図７】第１変容例としての補助原動機部の概念説明図。
【図８】第２変容例としての補助原動機部の概念説明図。
【図９】第２実施形態としての汎用コンバイの説明図。
【符号の説明】
【００５８】
Ａ  コンバイン
１  走行部
２  車体フレーム
４  刈取部
６  脱穀部
７  選別部
８  排藁処理部
９  運転部
【図１】
2005245260.tif 000003
【図２】
2005245260.tif 000004
【図３】
2005245260.tif 000005
【図４】
2005245260.tif 000006
【図５】
2005245260.tif 000007
【図６】
2005245260.tif 000008
【図７】
2005245260.tif 000009
【図８】
2005245260.tif 000010
【図９】
2005245260.tif 000011